(57)【要約】【課題】ピアノ線等を用いたゴト行為を確実に防止することができるパチンコ機を提供すること。【解決手段】前面扉３の裏面に傾斜取付面２７ａを有する板金製のベース板２７を固定し、この傾斜取付面２７ａに発射ハンドル１２の支持体１９を固定することにより、発射ハンドル１２を正面から見て外側を向くように前面扉３に取り付けると共に、ベース板２７を覆うように合成樹脂製のカバー部材２８を前面扉３の裏面に固定することにより、前面扉３の裏面と傾斜取付面２７ａとの間に生じる隙間Ｓを塞ぐようにした。また、カバー部材２８に突設した中空構造のリブ２８ａを前面扉３の取付孔３ａ内に挿入し、発射ハンドル１２に内蔵されたロータリボリューム２２に接続されたコネクタ２６をリブ２８ａの先端面に当接させた。【選択図】図７
2013215222.tif 000002
【特許請求の範囲】
【請求項１】
遊技盤が設けられた本体枠と、この本体枠にヒンジ機構を介して開閉可能に軸支された前面扉と、この前面扉に前方へ突出するように設けられた発射ハンドルと、前記前面扉の裏面に固定された板金製のベース板とを備え、前記発射ハンドルを前記ベース板に形成された傾斜取付面に固定することにより、該発射ハンドルが正面視で外側を向くように傾斜姿勢で取り付けられているパチンコ機において、
前記前面扉の裏面に前記ベース板を覆うカバー部材を固定し、このカバー部材によって前記前面扉と前記ベース板との間に存する隙間を塞ぐようにしたことを特徴とするパチンコ機。
【請求項２】
請求項１の記載において、前記発射ハンドルが背面側に接続部を有する電気部品を内蔵しており、この電気部品が前記接続部に挿入したコネクタを介してワイヤーハーネスに接続されていると共に、前記カバー部材に前記ベース板の前記傾斜取付面を貫通して前方へ突出する中空構造のリブが設けられており、前記コネクタを前記リブの先端面に対峙させて前記接続部からの脱落を阻止した状態で、前記ワイヤーハーネスが前記リブを挿通して前記前面扉の裏面側へ導出されていることを特徴とするパチンコ機。
【請求項３】
請求項２の記載において、前記リブが隔壁によって仕切られた中空部と導通孔を有すると共に、前記隔壁の先端部に切欠きが形成されており、前記コネクタを前記中空部の先端面に当接させた状態で、前記ワイヤーハーネスが前記中空部から前記切欠きを通って前記導通孔へ導出されると共に、該ワイヤーハーネスが他の電気部品に接続されたワイヤーハーネスと一緒に前記導通孔を挿通して前記前面扉の裏面側へ導出されていることを特徴とするパチンコ機。
【発明の詳細な説明】
【技術分野】
【０００１】
本発明は遊技球を用いて遊技を行うパチンコ機に係り、より詳細には、遊技球を発射するための発射ハンドルが前面扉に取り付けられているパチンコ機に関するものである。
【背景技術】
【０００２】
一般的にパチンコ機は、遊技場の島設備に設置される機枠（外枠）と、機枠にヒンジ機構を介して開閉可能に取り付けられた本体枠と、本体枠に別のヒンジ機構を介して開閉可能に取り付けられた前面扉とを備えており、前面扉には遊技球を発射するための発射ハンドルが設けられている。この発射ハンドルは、前面扉の下部一側に突設された支持体と、支持体に回転可能に装着された操作リング等によって構成されており、遊技者が操作リングを任意角度だけ回転操作すると、その回転角度に応じて遊技球の発射強度が調整されるようになっている。通常、発射ハンドルは前面扉の前面に対して垂直方向へ突設されているが、このような発射ハンドルを備えたパチンコ機においては、椅子に座って前面扉に正対する遊技者が発射ハンドルを操作する際に、右手の手首を大きく外側へ折り曲げた状態で操作リングを回転操作する必要があるため、この状態を長時間継続すると遊技者の受ける疲労の度合いが大きいものとなる。
【０００３】
従来より、このような遊技者の手首の疲労度合いを低減するために、予め発射ハンドルを前面扉の前面に対して外側方向を向くように取り付け、遊技者が手首を大きく折り曲げなくても操作リングを回転操作できるようにしたパチンコ機が提案されている（例えば、特許文献１参照）。図１０に示すように、かかる従来のパチンコ機１００は、前面扉１０１の右側下部に発射ハンドル１０２が突設されており、この発射ハンドル１０２は正面から見て右側（外側）へ傾斜している。発射ハンドル１０２は、前面扉１０１から前方へ突出する支持体１０３と、支持体１０３の先端に固定された半球状のフェースカバー１０４と、これら支持体１０３とフェースカバー１０４との間に回転可能に配設された操作リング１０５とによって主に構成されており、支持体１０３の後端部は前面扉１０１を貫通して裏面側に達している。図示省略されているが、発射ハンドル１０２の内部には、操作リング１０５の回転量を検出するロータリボリュームや、操作リング１０５に触れたことを検知するタッチセンサや、遊技球の発射停止信号を出力するスイッチ等の電気部品が収納されており、これら電気部品類にはワイヤーハーネスがコネクタを介して接続されている。
【０００４】
図１１に示すように、前面扉１０１の裏面には板金製のベース板１０６がネジ止めされており、このベース板１０６に形成された傾斜取付面１０６ａに支持体１０３の後端面がネジ止めされている。傾斜取付面１０６ａはベース板１０６をくの字状に折り曲げることによって形成され、この傾斜取付面１０６ａが前面扉１０１の板面に対して外側を向くことにより、発射ハンドル１０２が外側を向いた傾斜姿勢で前面扉１０１に取り付けられる。また、傾斜取付面１０６ａには開口１０６ｂが形成されており、前述したワイヤーハーネスは、この開口１０６ｂを通って前面扉１０１の裏面側へ導出された後、前面扉１０１の裏面に設けられた図示せぬ中継基板に接続されるようになっている。
【先行技術文献】
【特許文献】
【０００５】
【特許文献１】特許第４６４３０８１号公報
【発明の概要】
【発明が解決しようとする課題】
【０００６】
特許文献１に開示された従来のパチンコ機では、傾斜取付面１０６ａが形成されたベース板１０６を前面扉１０１の裏面側の平坦面に固定し、この傾斜取付面１０６ａに発射ハンドル１０２の支持体１０３の後端面をネジ止めするようになっているため、板金を折曲加工した単純構造のベース板１０６を用いることにより、発射ハンドル１０２を外側を向いた傾斜姿勢で前面扉１０１に取り付けることができる。しかしながら、前面扉１０１の裏面側の平坦面とベース板１０６の傾斜取付面１０６ａとの間に隙間Ｓが形成されてしまうため、前面扉１０１の前方から差し込んだピアノ線等を隙間Ｓを通って内部へ導くことが可能となり、このようなピアノ線等を用いたゴト行為を防止できないという問題があった。また、発射ハンドル１０２を前面扉１０１に取り付ける組付け作業時などに、傾斜取付面１０６ａの開口１０６ｂから導出されるワイヤーハーネスに大きな引張力が作用すると、ワイヤーハーネスの先端に取り付けられたコネクタがロータリボリューム等の電気部品から抜け落ちてしまうという別の問題もあった。
【０００７】
本発明は、このような従来技術の実情に鑑みてなされたもので、その目的は、ピアノ線等を用いたゴト行為を確実に防止することができるパチンコ機を提供することにある。
【課題を解決するための手段】
【０００８】
上記の目的を達成するために、本発明は、遊技盤が設けられた本体枠と、この本体枠にヒンジ機構を介して開閉可能に軸支された前面扉と、この前面扉に前方へ突出するように設けられた発射ハンドルと、前記前面扉の裏面に固定された板金製のベース板とを備え、前記発射ハンドルを前記ベース板に形成された傾斜取付面に固定することにより、該発射ハンドルが正面視で外側を向くように傾斜姿勢で取り付けられているパチンコ機において、前記前面扉の裏面に前記ベース板を覆うカバー部材を固定し、このカバー部材によって前記前面扉と前記ベース板との間に存する隙間を塞ぐようにした。
【０００９】
このように構成されたパチンコ機では、板金製のベース板に折曲形成した傾斜取付面に発射ハンドルを固定することにより、発射ハンドルが正面視で外側を向くように傾斜姿勢で前面扉に突設されるため、遊技者の手首の疲労度合いを低減することができる。しかも、前面扉の裏面にベース板を覆うカバー部材を固定することで、前面扉の裏面とベース板の傾斜取付面との間に形成される隙間が塞がれるため、ピアノ線等を用いたゴト行為を確実に防止することができる。
【００１０】
上記の構成において、発射ハンドルが背面側に接続部を有する電気部品を内蔵しており、この電気部品が接続部に挿入したコネクタを介してワイヤーハーネスに接続されていると共に、カバー部材にベース板の傾斜取付面を貫通して前方へ突出する中空構造のリブが設けられており、コネクタをリブの先端面に対峙させて接続部からの脱落を阻止した状態で、ワイヤーハーネスがリブを挿通して前面扉の裏面側へ導出されていることが好ましい。かかる構成を採用すると、カバー部材のリブから前面扉の裏面側へ導出されたワイヤーハーネスに大きな引張力が作用した場合でも、その引張力がコネクタとリブの当接箇所で受け止められるため、コネクタが電気部品の接続部から抜け落ちてしまう虞はなくなる。
【００１１】
この場合において、リブが隔壁によって仕切られた中空部と導通孔を有すると共に、隔壁の先端部に切欠きが形成されており、コネクタを中空部の先端面に当接させた状態で、ワイヤーハーネスが中空部から切欠きを通って導通孔へ導出されると共に、このワイヤーハーネスが他の電気部品に接続されたワイヤーハーネスと一緒に導通孔を挿通して前面扉の裏面側へ導出されていると、発射ハンドルが内蔵する複数の電気部品に接続された複数本のワイヤーハーネスをリブから一纏めに導出することができて好ましい。
【発明の効果】
【００１２】
本発明のパチンコ機は、板金製のベース板に折曲形成した傾斜取付面に発射ハンドルを固定することにより、発射ハンドルが正面視で外側を向くように傾斜姿勢で前面扉に突設されるため、遊技者の手首の疲労度合いを低減することができる。しかも、前面扉の裏面にベース板を覆うカバー部材を固定することで、前面扉の裏面とベース板の傾斜取付面との間に形成される隙間が塞がれるため、ピアノ線等を用いたゴト行為を確実に防止することができる。
【図面の簡単な説明】
【００１３】
【図１】本発明の実施形態例に係るパチンコ機の外観斜視図である。
【図２】図１に示すパチンコ機の正面図である。
【図３】図１に示すパチンコ機の背面図である。
【図４】図１のパチンコ機に備えられる前面扉を後方から見た斜視図である。
【図５】図４に示す前面扉と発射ハンドルおよびカバー部材の分解斜視図である。
【図６】前面扉の前方から見た図５に対応する分解斜視図である。
【図７】図２のVII−VII線に沿う拡大断面図である。
【図８】図６に示すカバー部材の斜視図である。
【図９】該カバー部材の取付状態を前面扉の前方から見た斜視図である。
【図１０】従来例に係るパチンコ機の斜視図である。
【図１１】図１０のパチンコ機に備えられる前面扉を後方から見た斜視図である。
【発明を実施するための形態】
【００１４】
発明の実施の形態について図面を参照して説明すると、図１と図２に示すように、本実施形態例に係るパチンコ機は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１５】
機枠１の左側枠部には上側軸受け体５ａと下側軸受け体５ｂが固着されており、この下側軸受け体５ｂよりも下方の左下隅部には大型のスピーカ６が配設されている。一方、本体枠２の左側枠部の上下両端には第１ピン（図示せず）が設けられており、これら両第１ピンが対応する上下の軸受け体５ａ，５ｂに軸支されることにより、本体枠２は機枠１に対して開閉自在となっている。
【００１６】
図示省略されているが、本体枠２の上部内側には遊技盤が収納されており、この遊技盤は透明板４を透して目視可能な遊技領域を有している。遊技領域はガイドレール等によって略円形状に区画形成されており、この遊技領域には可変表示装置や始動入賞口、一般入賞口、アタッカー装置、遊技釘、風車、アウト口等が設けられている。また、遊技領域よりも下方の本体枠２には発射装置が配設されており、この発射装置から遊技球が遊技領域に向けて打ち出されるようになっている。
【００１７】
また、本体枠２の右側枠部にはシリンダ錠７ａを有する施錠装置７が設置されており、図示省略されているが、この施錠装置７は本体枠２の裏面に配置された後部施錠杆と本体枠２の前面に配置された前部施錠杆とを備えている。常態では、施錠装置７の後部施錠杆によって機枠１に対して本体枠２が施錠されると共に、前部施錠杆によって本体枠２に対して前面扉３が施錠されている。そして、シリンダ錠７ａの鍵穴に図示せぬ鍵を差し込み、この鍵を一方向（例えば時計回り）へ回動すると、後部施錠杆が下動して本体枠２が開錠されるようになっている。また、シリンダ錠７ａの鍵穴に差し込んだ鍵を他方向（反時計回り）へ回動すると、前部施錠杆が上動して前面扉３が開錠されるようになっている。
【００１８】
前面扉３の左側枠部の上下両端には第２ピン（図示せず）が設けられており、これら両第２ピンを本体枠２の上下の軸孔（図示せず）に挿入することにより、前面扉３は本体枠２に対して開閉自在となっている。また、前面扉３には遊技盤の盤面に対向する大きな開口３ａが開設されており、この開口３ａは透明板４によって塞がれている。前面扉３の上部には比較的小型のスピーカ８が左右に１個ずつ配設されており、これらスピーカ８と前述した大型のスピーカ６とによって遊技に関する様々な効果音を発するようになっている。さらに、前面扉３の前面下部には、遊技盤の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１とが設けられており、上段受皿９の右側方には前述した発射装置の発射強度を調整するための発射ハンドル１２が配設されている。
【００１９】
図３に示すように、このパチンコ機の背面側には、遊技に関する主要な処理を行う主制御処理部１３と、主制御処理部１３からの指令を受けて表示装置やスピーカ等の各種装置を制御する副制御処理部１４と、上段受皿９に対して所定数の遊技球を賞球として払い出す賞球払出装置１５と、主制御処理部１３からの指令を受けて賞球払出装置１５を制御する払出制御処理部１６と、発射ハンドル１２の回転操作量に応じて発射装置の作動を制御する発射制御処理部１７と、賞球数や大当たり回数等の各種情報を遊技場のホールコンピュータに出力する外部端子基板１８等が設けられている。主制御処理部１３は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２０】
図７に示すように、遊技者の手首の疲労度合いを低減するために、発射ハンドル１２は正面から見て右側（外側）を向くような傾斜姿勢で前面扉３に取り付けられている。この発射ハンドル１２は、前面扉３から前方へ突出する支持体１９と、支持体１９の先端に固定された半球状のフェースカバー２０と、これら支持体１９とフェースカバー２０との間に回転可能に配設された操作リング２１とによって主に構成されており、遊技者によって回転操作される操作リング２１の回転操作量に応じて前述した発射装置の発射強度が調整されるようになっている。
【００２１】
支持体１９は円筒状の基部１９ａを有しており、この基部１９ａが前面扉３に設けられた取付孔３ａを貫通して後述するベース板２７の傾斜取付面２７ａに固定されている。支持体１９の内部には、操作リング２１の回転量を検出するロータリボリューム２２や、支持体１９の外方へ突出するプッシュレバー２３を押圧することで遊技球の発射停止信号を出力するスイッチ２４や、遊技者が操作リング２１に触れたことを検知するタッチセンサ（図示せず）等の電気部品が収納されており、これら電気部品のうち、ロータリボリューム２２は基部１９ａの後端開口部を臨む位置に配設されている。ロータリボリューム２２は基部１９ａの後端開口部を向く背面側に接続部（図示せず）を有しており、この接続部にコネクタ２６を挿入することにより、ロータリボリューム２２にコネクタ２６を介してワイヤーハーネス２５が接続されている。同様に、他のスイッチ２４やタッチセンサにも別のワイヤーハーネスがコネクタを介して接続されている。
【００２２】
図４〜図６に示すように、前面扉３の裏面には板金製の前記ベース板２７が複数本のネジを用いて固定されており、このベース板２７は前面扉３の取付孔３ａに対面する傾斜取付面２７ａを有している。傾斜取付面２７ａはベース板２７をくの字状に折り曲げることによって形成されたものであり、この傾斜取付面２７ａには大径の開口２７ｂと複数の挿通孔２７ｃが穿設されている。ベース板２７を前面扉３の裏面に固定した状態において、傾斜取付面２７ａは正面から見て右側（外側）を向いており、それによって前面扉３の裏面と傾斜取付面２７ａとの間には隙間Ｓが生じている。発射ハンドル１２の前面扉３に対する組付け作業については後ほど詳細に説明するが、取付孔３ａに挿入した支持体１９の基部１９ａをベース板２７の傾斜取付面２７ａにねじ止め固定することにより、発射ハンドル１２は外側を向く傾斜姿勢で前面扉３に取り付けられる。
【００２３】
また、前面扉３の裏面には合成樹脂製のカバー部材２８が複数本のネジを用いて固定されており、このカバー部材２８でベース板２７の全体を覆うことによって前記隙間Ｓが塞がれている。図８に示すように、カバー部材２８には中空構造のリブ２８ａが突設されており、このリブ２８ａはベース板２７の傾斜取付面２７ａに穿設された開口２７ｂから取付孔３ａの内部に挿入されている。リブ２８ａは板状の隔壁２８ｂによって上下に仕切られた導通孔２８ｃと中空部２８ｄとを有しており、隔壁２８ｂの先端部にはＵ字状の切欠き２８ｅが形成されている。導通孔２８ｃと中空部２８ｄはいずれもリブ２８ａを前後方向に貫通するように延びているが、中空部２８ｄは必ずしも貫通孔でなくても良く、少なくともリブ２８ａの前端面を開口する空間であれば良い。なお、カバー部材２８には複数の挿通孔２８ｆが形成されており、これら挿通孔２８ｆはベース板２７の傾斜取付面２７ａに形成された挿通孔２７ｃと同軸上に位置している。
【００２４】
発射ハンドル１２を前面扉３に取り付ける組付け作業について説明すると、まず、前面扉３の裏面にベース板２７をねじ止め固定した後、ベース板２７を覆うようにカバー部材２８を前面扉３の裏面にねじ止め固定する。次に、発射ハンドル１２から導出される複数本のワイヤーハーネス２５を前面扉３の前方から取付孔３ａの内部に挿入し、これら各ワイヤーハーネス２５をカバー部材２８のリブ２８ａ内を経由して前面扉３の裏面側へ引き出した後、支持体１９の基部１９ａを取付孔３ａの内部に挿入する。この状態で図示せぬネジをカバー部材２８の挿通孔２８ｆからベース板２７の挿通孔２７ｃに挿入し、これらネジを基部１９ａの後端面に締着することにより、発射ハンドル１２の支持体１９をベース板２７の傾斜取付面２７ａに固定する。その結果、発射ハンドル１２が正面から見て右側（外側）を向くような傾斜姿勢で前面扉３に取り付けられる。
【００２５】
このようにして発射ハンドル１２が前面扉３に取り付けられると、図７に示すように、発射ハンドル１２内のロータリボリューム２２に接続されたコネクタ２６がリブ２８ａの先端面、より具体的には中空部２８ｄの先端面に当接もしくは微小ギャップを介して対峙した状態となる。ここで、ロータリボリューム２２に接続されたワイヤーハーネスに符号２５Ａを、その他のスイッチ２４とタッチセンサに接続されたワイヤーハーネスに符号２５Ｂを付すと、図９に示すように、コネクタ２６に取り付けられたワイヤーハーネス２５Ａは、中空部２８ｄから切欠き２８ｅを通って導通孔２８ｃへ達した後、他のワイヤーハーネス２５Ｂと一緒に導通孔２８ｃを挿通して前面扉３の裏面側へと導出される。なお、図４に示すように、これらワイヤーハーネス２５（２５Ａ，２５Ｂ）は前面扉３の裏面に設けられた中継基板２９に接続され、この中継基板２９を介して前述した発射制御処理部１７に接続されている。
【００２６】
したがって、例えば、発射ハンドル１２を前面扉３に取り付ける組付け作業時に、前面扉３の裏面側へ導出されたワイヤーハーネス２５Ａを作業者が強く引っ張ってしまったとしても、その引張力がコネクタ２６とリブ２８ａ（中空部２８ｄ）の当接箇所で受け止められるため、ワイヤーハーネス２５Ａの先端に取り付けられたコネクタ２６がロータリボリューム２２の接続部から抜け落ちることはなく、発射ハンドル１２の組付け作業を容易に行うことができる。あるいは、遊技場の店員が前面扉３を開放して球詰まり等を解消するときに、誤ってワイヤーハーネス２５Ａを強く引っ張ってしまった場合も、上記と同様に、ワイヤーハーネス２５Ａに作用する引張力がコネクタ２６とリブ２８ａの当接箇所で受け止められるため、コネクタ２６がロータリボリューム２２の接続部から抜け落ちることを確実に防止できる。なお、他のワイヤーハーネス２５Ｂは支持体１９の内部奥側でスイッチ２４やタッチセンサにコネクタを介して接続され、その接続方向が支持体１９の軸線と直交する向きに設定されているため、これらワイヤーハーネス２５Ｂに大きな引張力が掛かったとしても、その先端に取り付けられたコネクタがスイッチ２４やタッチセンサから抜け落ちることはない。
【００２７】
以上説明したように、本実施形態例に係るパチンコ機は、前面扉３の裏面に傾斜取付面２７ａを有する板金製のベース板２７を固定し、この傾斜取付面２７ａに支持体１９を固定することにより、発射ハンドル１２が外側を向くように傾斜姿勢で前面扉３に取り付けられるため、遊技者の手首の疲労度合いを低減することができる。しかも、前面扉３の裏面に固定したカバー部材２８が前面扉３の裏面と傾斜取付面２７ａとの間に生じる隙間Ｓを塞いでいるため、前面扉３の取付孔３ａと支持体１９の外周面との間からピアノ線等を挿入したとしても、このピアノ線等を隙間Ｓを通過してパチンコ機の内部まで導くことはできず、ピアノ線等を用いたゴト行為を確実に防止することができる。
【００２８】
また、カバー部材２８に中空構造のリブ２８ａを突設し、このリブ２８ａをベース板２７の傾斜取付面２７ａを貫通して前面扉３の取付孔３ａ内に挿入すると共に、発射ハンドル１２に内蔵されたロータリボリューム２２を支持体１９の後端開口部を臨む位置に配設し、このロータリボリューム２２にコネクタ２６を介してワイヤーハーネス２５Ａを接続してある。そして、発射ハンドル１２を前面扉３に取り付ける際に、ワイヤーハーネス２５Ａをリブ２８ａの内部を経由して前面扉３の裏面側へ導出させると共に、コネクタ２６をリブ２８ａの先端面に当接もしくは微小ギャップを存して対峙させるようにしたので、前面扉３の裏面側へ導出されたワイヤーハーネス２５Ａに大きな引張力が作用したとしても、その引張力をコネクタ２６とリブ２８ａの当接箇所で受け止めることができ、コネクタ２６がロータリボリューム２２から抜け落ちてしまうことを確実に防止できる。
【００２９】
さらに、カバー部材２８のリブ２８ａに内部を導通孔２８ｃと中空部２８ｄとに仕切る隔壁２８ｂを設け、この中空部２８ｄの先端面にコネクタ２６を当接させると共に、隔壁２８ｂの先端部に切欠き２８ｅを形成し、発射ハンドル１２に内蔵されたロータリボリューム２２以外の電気部品（スイッチ２４とタッチセンサ）に接続されたワイヤーハーネス２５Ｂを導通孔２８ｃを通って前面扉３の裏面側へ導出させている。一方、ロータリボリューム２２に接続されたワイヤーハーネス２５Ａは、中空部２８ｄから切欠き２８ｅを通って導通孔２８ｃへ導いた後、他のワイヤーハーネス２５Ｂと一緒に導通孔２８ｃを通って前面扉３の裏面側へ導出させているため、発射ハンドル１２内の各電気部品（ロータリボリューム２２とスイッチ２４およびタッチセンサ）に接続された複数本のワイヤーハーネス２５（２５Ａ，２５Ｂ）をリブ２８ａから一纏めに導出することができる。
【００３０】
なお、上記実施形態例では、前面扉３の裏面にベース板２７とカバー部材２８を固定した後、発射ハンドル１２の支持体１９を傾斜取付面２７ａに固定するものとして説明したが、カバー部材２８を固定する前に支持体１９を傾斜取付面２７ａに固定し、しかる後、ベース板２７を覆うようにカバー部材２８を前面扉３の裏面に固定することも可能である。
【符号の説明】
【００３１】
１  機枠
２  本体枠
３  前面扉
３ａ  取付孔
１２  発射ハンドル
１９  支持体
１９ａ  基部
２０  フェースカバー
２１  操作リング
２２  ロータリボリューム（電気部品）
２４  スイッチ（電気部品）
２５，２５Ａ，２５Ｂ  ワイヤーハーネス
２６  コネクタ
２７  ベース板
２７ａ  傾斜取付面
２７ｂ  開口
２７ｃ  挿通孔
２８  カバー部材
２８ａ  リブ
２８ｂ  隔壁
２８ｃ  導通孔
２８ｄ  中空部
２８ｅ  切欠き
２８ｆ  挿通孔
２９  中継基板
Ｓ  隙間
【図１】
2013215222.tif 000003
【図２】
2013215222.tif 000004
【図３】
2013215222.tif 000005
【図４】
2013215222.tif 000006
【図５】
2013215222.tif 000007
【図６】
2013215222.tif 000008
【図７】
2013215222.tif 000009
【図８】
2013215222.tif 000010
【図９】
2013215222.tif 000011
【図１０】
2013215222.tif 000012
【図１１】
2013215222.tif 000013